(57)【要約】【課題】  ジャム等の発生時に記録媒体を容易に除去することができる画像形成装置を提供する。【解決手段】  画像形成装置は、記録用紙Ｓを載置して搬送する搬送ベルト１２と、当該画像形成装置に対して着脱可能に構成され、トナーによって形成された像を担持する感光体ドラム１４Ｂ，１４Ｙ，１４Ｍ，１４Ｃを含む画像形成部１３Ｂ，１３Ｙ，１３Ｍ，１３Ｃと、記録用紙Ｓの搬送状態を検出する走行系センサー１００，１０１，１０２，１０３と、これら走行系センサー１００，１０１，１０２，１０３の検出結果に基づいて記録用紙Ｓの搬送不良が判断されるのに応じて、搬送ベルト１２に接触していた感光体ドラム１４Ｂ，１４Ｙ，１４Ｍ，１４Ｃを、搬送ベルト１２から所定距離だけ離す方向へと移動させる昇降リンクレバー１０６とを備える。【選択図】  図１
2006243109.tif 000002
【特許請求の範囲】
【請求項１】
所定の記録媒体に現像剤を定着して画像を形成する画像形成装置であって、
前記記録媒体を載置して搬送するベルト搬送手段と、
当該画像形成装置に対して着脱可能に構成され、前記現像剤によって形成された像を担持する像担持体を含む画像形成手段と、
前記記録媒体の搬送状態を検出する検出手段と、
前記検出手段の検出結果に基づいて前記記録媒体の搬送不良を判断する制御手段と、
前記制御手段によって前記記録媒体の搬送不良が判断されるのに応じて、前記ベルト搬送手段に接触していた前記像担持体を、前記ベルト搬送手段から所定距離だけ離す方向へと移動させる移動手段とを備えること
を特徴とする画像形成装置。
【請求項２】
前記制御手段は、前記検出手段の検出結果に基づいて前記記録媒体の搬送不良を判断すると、時間をおかずに前記像担持体を前記ベルト搬送手段から所定距離だけ離す方向へと移動させるように前記移動手段を制御すること
を特徴とする請求項１記載の画像形成装置。
【請求項３】
前記像担持体を含む前記画像形成手段は、複数設けられており、
前記移動手段は、第１の位置にて、複数の前記像担持体のうち一部の像担持体を選択的に前記ベルト搬送手段から所定距離だけ離す方向へと移動させ、第２の位置にて、複数の前記像担持体の全てを前記ベルト搬送手段から所定距離だけ離す方向へと移動させること
を特徴とする請求項１又は請求項２記載の画像形成装置。
【請求項４】
前記移動手段は、当該画像形成装置の筐体を構成するカバーを開放するのに応じて、前記像担持体を前記ベルト搬送手段から所定距離だけ離す方向へと移動させること
を特徴とする請求項１乃至請求項３のうちいずれか１項記載の画像形成装置。
【請求項５】
前記画像形成手段は、前記像担持体の表面電荷を放電するための放電体を有し、
当該画像形成装置は、前記像担持体を前記ベルト搬送手段から所定距離だけ離すように移動させる場合には、前記放電体を前記像担持体の表面に接触させ、前記像担持体を前記ベルト搬送手段に接触させる場合には、前記放電体を前記像担持体の表面から離れる方向に移動させる放電体移動手段を備えること
を特徴とする請求項１乃至請求項４のうちいずれか１項記載の画像形成装置。
【発明の詳細な説明】
【技術分野】
【０００１】
本発明は、所定の記録媒体にトナーを定着して画像を形成する画像形成装置に関する。
【背景技術】
【０００２】
従来から、所定の記録媒体にトナーを定着して画像を形成する電子写真記録方式の画像形成装置が知られている。かかる画像形成装置は、静電潜像担持体としての感光体の帯電及び露光、当該感光体上に形成された静電潜像のトナーによる現像、得られたトナー画像の記録媒体上への転写、当該記録媒体上のトナー画像の定着といったプロセスを経ることにより、画像形成を行うものである。
【０００３】
近年、この種の画像形成装置のうち、複数の感光体上のそれぞれに異なる色のトナー像を形成し、ベルト搬送装置によって搬送された記録媒体上に順次重ねて転写していくいわゆるタンデム式のカラー画像形成装置が開発されている（例えば、特許文献１等参照。）。
【０００４】
【特許文献１】特開２０００−８１８０２号公報
【０００５】
具体的には、この特許文献１には、複数の像担持体上のそれぞれに画像を形成し、この画像を転写材上に転写して画像形成するために、転写材を搬送する転写材担持体が、像担持体と離間させる手段を有し、像担持体及び転写材担持体のそれぞれの清掃手段を備えた画像形成装置が開示されている。特に、この画像形成装置は、像担持体と転写材担持体とを離間させ、それぞれの清掃手段の清掃動作を時間的に重ねて行うとともに清掃動作を開始する時間又は停止する時間の少なくとも一方が異なるように制御するものである。これにより、この画像形成装置においては、像担持体及び転写材担持体並びに清掃手段の摩耗を軽減して長寿命化を図り、現像剤の消耗も少なくしてコストダウンを図ることができるとしている。
【発明の開示】
【発明が解決しようとする課題】
【０００６】
ところで、上述した特許文献１に記載された画像形成装置においては、複数の感光体とベルト搬送装置とによって記録媒体を挟む構造とされていることから、画像形成中に搬送不良が生じてジャムが発生すると、記録媒体を除去するのが困難となる事態を招来していた。
【０００７】
本発明は、このような実情に鑑みてなされたものであり、ジャム等の発生時に記録媒体を容易に除去することができる画像形成装置を提供することを目的とする。
【課題を解決するための手段】
【０００８】
上述した目的を達成する本発明にかかる画像形成装置は、所定の記録媒体に現像剤を定着して画像を形成する画像形成装置であって、前記記録媒体を載置して搬送するベルト搬送手段と、当該画像形成装置に対して着脱可能に構成され、前記現像剤によって形成された像を担持する像担持体を含む画像形成手段と、前記記録媒体の搬送状態を検出する検出手段と、前記検出手段の検出結果に基づいて前記記録媒体の搬送不良を判断する制御手段と、前記制御手段によって前記記録媒体の搬送不良が判断されるのに応じて、前記ベルト搬送手段に接触していた前記像担持体を、前記ベルト搬送手段から所定距離だけ離す方向へと移動させる移動手段とを備えることを特徴としている。
【０００９】
このような本発明にかかる画像形成装置においては、記録媒体の搬送不良が判断されるのに応じて、像担持体をベルト搬送手段から所定距離だけ離す方向へと移動させることから、像担持体とベルト搬送手段とによって記録媒体を挟み込むことがなくなる。
【００１０】
このとき、前記制御手段は、前記検出手段の検出結果に基づいて前記記録媒体の搬送不良を判断すると、時間をおかずに前記像担持体を前記ベルト搬送手段から所定距離だけ離す方向へと移動させるように前記移動手段を制御するのが望ましい。これにより、本発明にかかる画像形成装置においては、長時間の放置によって変質した現像剤が像担持体の表面に固着するのを防止することができる。
【００１１】
また、本発明にかかる画像形成装置においては、前記像担持体を含む前記画像形成手段が複数設けられている場合には、前記移動手段は、第１の位置にて、複数の前記像担持体のうち一部の像担持体を選択的に前記ベルト搬送手段から所定距離だけ離す方向へと移動させ、第２の位置にて、複数の前記像担持体の全てを前記ベルト搬送手段から所定距離だけ離す方向へと移動させるのが望ましい。これにより、本発明にかかる画像形成装置においては、印刷モード等の用途に応じて、複数の画像形成手段のうち必要な画像形成手段を容易に選択することができる。
【００１２】
さらに、前記移動手段は、当該画像形成装置の筐体を構成するカバーを開放するのに応じて、前記像担持体を前記ベルト搬送手段から所定距離だけ離す方向へと移動させるようにしてもよい。これにより、本発明にかかる画像形成装置においては、像担持体とベルト搬送手段とによって記録媒体を挟み込むことがなくなるのに加え、高価な電気部品であるモータを用いる必要がなく安価なギヤ構成のみで実現することができ、低価格化を図ることができる。
【００１３】
さらにまた、本発明にかかる画像形成装置は、前記像担持体を前記ベルト搬送手段から所定距離だけ離すように移動させる場合には、前記画像形成手段が有する前記像担持体の表面電荷を放電するための放電体を前記像担持体の表面に接触させ、前記像担持体を前記ベルト搬送手段に接触させる場合には、前記放電体を前記像担持体の表面から離れる方向に移動させる放電体移動手段を備えてもよい。
【００１４】
このように、本発明にかかる画像形成装置においては、表面電荷が蓄積した状態の像担持体をベルト搬送手段から離す方向へと移動させる際に、当該像担持体の表面電荷が直接フレームグラウンドと同等レベルの導電体に飛ばないように、放電体を像担持体の表面に接触させることにより、放電ショックを引き起こさずに除電することができ、像担持体の損傷を防止することができる。
【発明の効果】
【００１５】
本発明においては、記録媒体の搬送不良時に、像担持体とベルト搬送手段とによって当該記録媒体を挟み込むことがなくなることから、当該記録媒体を容易に除去することができる。
【発明を実施するための最良の形態】
【００１６】
以下、本発明を適用した具体的な実施の形態について図面を参照しながら詳細に説明する。
【００１７】
この実施の形態は、所定の記録媒体に現像剤としてのトナーを定着して画像を形成する電子写真記録方式の画像形成装置である。特に、この画像形成装置は、複数の感光体上のそれぞれに異なる色のトナー像を形成し、ベルト搬送装置によって搬送された記録媒体上に順次重ねて転写していくいわゆるタンデム式のカラー画像形成装置である。
【００１８】
まず、第１の実施の形態として示す画像形成装置について説明する。
【００１９】
画像形成装置は、図１に示すように、画像が記録されていない記録媒体としての記録用紙Ｓを収納する用紙収納部１１を備える。用紙収納部１１に格納された記録用紙Ｓは、当該画像形成装置のフロント部に配設されているレジストローラが回転することによって当該用紙収納部１１から給紙され、媒体搬送経路に配設された給紙ローラの回転に応じて、図示しないモータによって印刷速度に応じた回転速度で回転する搬送ベルト１２上へと搬送されて載置される。
【００２０】
また、画像形成装置は、ブラック（Ｋ）、イエロー（Ｙ）、マゼンタ（Ｍ）、シアン（Ｃ）の４色のそれぞれに対応する４つの画像形成部１３Ｂ，１３Ｙ，１３Ｍ，１３Ｃがこの順序で記録用紙Ｓの給紙側から排紙側へと並設されている。これら画像形成部１３Ｂ，１３Ｙ，１３Ｍ，１３Ｃは、当該画像形成装置に対して着脱可能に構成され、搬送ベルト１２上に載置された記録用紙Ｓに対して、各色のトナーを用いた画像形成を行う。なお、これら画像形成部１３Ｂ，１３Ｙ，１３Ｍ，１３Ｃは、互いに同一の構成とされる。したがって、ここでは、イエロー用の画像形成部１３Ｙの構成について代表して説明する。
【００２１】
画像形成部１３Ｙは、同図中矢印ａで示す方向へと回転する静電潜像担持体としての感光体ドラム１４Ｙと、この感光体ドラム１４Ｙの表面を帯電させる帯電ローラ１５Ｙと、入力された画像データに基づいて感光体ドラム１４Ｙを露光するＬＥＤ（Light Emitting Diode）ヘッド１６Ｙと、感光体ドラム１４Ｙ上に形成された静電潜像のトナーによる現像を行う現像部と、得られたトナー画像を記録用紙Ｓ上に転写する転写ローラ１７Ｙとを備える。
【００２２】
現像部は、半導体ゴム材等から構成される現像ローラ１８Ｙと、この現像ローラ１８Ｙに摺接された現像ブレード１９Ｙと、適量のトナーを現像ブレード１９Ｙに搬送するスポンジローラ２０Ｙと、トナーを格納するトナータンク２１Ｙとから構成される。このような画像形成部１３Ｙを構成する各ローラは、それぞれ、図示しないモータによって回転駆動される。このような現像部において、トナータンク２１Ｙから供給されたトナーは、スポンジローラ２０Ｙを介して現像ブレード１９Ｙに到達し、さらに、この現像ブレード１９Ｙを介して現像ローラ１８Ｙにおける円周上に薄層化され、感光体ドラム１４Ｙとの接触面に到達する。このとき、トナーは、薄層形成時に現像ローラ１８Ｙと現像ブレード１９Ｙとによって強く擦られて摩擦帯電する。ここでは、トナーは、負極性に帯電するものとする。このような現像部においては、トナーが消耗した場合には、トナータンク２１Ｙを交換することにより、新たなトナーを補給することができる。
【００２３】
また、画像形成部１３Ｙは、クリーニングブレード２２Ｙを備え、このクリーニングブレード２２Ｙを用いて感光体ドラム１４Ｙの表面に残留するトナーを削り落とし、スクリューシャフト２３Ｙによって印刷機構の外部に設けられた図示しない廃トナーボックスへと排出するように構成される。
【００２４】
このような画像形成部１３Ｙは、感光体ドラム１４Ｙ上に静電潜像を形成し、その静電潜像をトナーによって現像してトナー画像とする。この画像形成部１３Ｙによって現像された感光体ドラム１４Ｙ上のトナー画像は、転写ローラ１７Ｙによって記録用紙Ｓ上に転写される。画像形成装置においては、このような構成からなる４つの画像形成部１３Ｂ，１３Ｙ，１３Ｍ，１３Ｃにより、記録用紙Ｓ上に順次各色の画像形成を行い、４色のカラー画像を形成する。
【００２５】
さらに、画像形成装置は、このような画像形成部１３Ｂ，１３Ｙ，１３Ｍ，１３Ｃの下流に、加熱されたローラ２４，２５を有する定着器２６を備える。この定着器２６は、熱と圧力とによって記録用紙Ｓ上のトナー画像を定着させる。画像形成装置においては、このような定着器２６によって記録用紙Ｓ上に画像を定着させると、図示しないローラの回転に応じて当該記録用紙Ｓを搬送して外部へと排紙させ、スタッカ上に積載させる。
【００２６】
さらにまた、画像形成装置は、記録用紙Ｓの搬送方向上流側から下流側へかけて、記録用紙Ｓの搬送状態を検出する４つの走行系センサー１００，１０１，１０２，１０３を備える。走行系センサー１００は、レジストローラ近傍に設けられ、用紙収納部１１から給紙された記録用紙Ｓがレジスト位置に到達したか否かを検出する。また、走行系センサー１０１は、給紙ローラ近傍に設けられ、記録用紙Ｓが当該給紙ローラに到達したか否かを検出する。さらに、走行系センサー１０２は、搬送ベルト１２の上流側に設けられ、記録用紙Ｓが当該搬送ベルト１２の上流側に到達したか否かを検出する。さらにまた、走行系センサー１０３は、定着器２６の下流側に設けられ、記録用紙Ｓの先端が当該定着器２６を通過したか否かを検出する。
【００２７】
画像形成装置においては、図２に示すように、これら４つの走行系センサー１００，１０１，１０２，１０３の出力を、ＣＰＵ（Central Processing Unit）等から構成される制御部１０４によってモニタする。画像形成装置においては、これら４つの走行系センサー１００，１０１，１０２，１０３の検出結果に応じて、制御部１０４から異なる出力信号を出力する。
【００２８】
また、画像形成装置は、制御部１０４の制御のもとに、モータ１０５を駆動し、図１に示した画像形成部１３Ｂ，１３Ｙ，１３Ｍ，１３Ｃを上方向に上昇させることによって感光体ドラム１４Ｂ，１４Ｙ，１４Ｍ，１４Ｃを搬送ベルト１２から所定距離だけ離す方向へと移動させる昇降リンクレバー１０６を駆動するように構成される。すなわち、画像形成装置においては、図３(ａ)に示すように、通常時は、感光体ドラム１４Ｂ，１４Ｙ，１４Ｍ，１４Ｃのそれぞれの回転軸を、凹凸状の断面形状を有する昇降リンクレバー１０６における凹部に位置させることにより、感光体ドラム１４Ｂ，１４Ｙ，１４Ｍ，１４Ｃとこれら感光体ドラム１４Ｂ，１４Ｙ，１４Ｍ，１４Ｃのそれぞれに対向して設けられる転写ローラ１７Ｂ，１７Ｙ，１７Ｍ，１７Ｃとが搬送ベルト１２に接触するように、画像形成部１３Ｂ，１３Ｙ，１３Ｍ，１３Ｃが配設されている。これに対して、画像形成装置は、制御部１０４の制御のもとに、モータ１０５を介してアイドルギヤ１０７を駆動させ、さらに、このアイドルギヤ１０７を介して昇降リンクレバー１０６と一体的に形成されているギヤ部１０８を駆動させることにより、図３(ｂ)に示すように、昇降リンクレバー１０６を水平方向に移動させ、感光体ドラム１４Ｂ，１４Ｙ，１４Ｍ，１４Ｃのそれぞれの回転軸を、当該昇降リンクレバー１０６における凸部に位置させることにより、感光体ドラム１４Ｂ，１４Ｙ，１４Ｍ，１４Ｃを搬送ベルト１２から所定距離だけ離す方向へと移動させる動作を選択することが可能に構成される。
【００２９】
さて、このような画像形成装置においては、記録用紙Ｓのジャムが発生しない正常な状態での連続動作を行う場合には、感光体ドラム１４Ｂ，１４Ｙ，１４Ｍ，１４Ｃの帯電及び露光、当該感光体ドラム１４Ｂ，１４Ｙ，１４Ｍ，１４Ｃ上に形成された静電潜像のトナーによる現像、感光体ドラム１４Ｂ，１４Ｙ，１４Ｍ，１４Ｃと転写ローラ１７Ｂ，１７Ｙ，１７Ｍ，１７Ｃとによるトナー画像の記録用紙Ｓ上への転写、定着器２６による当該記録用紙Ｓ上のトナー画像の定着といったプロセスを、各色毎に繰り返し行うことにより、画像形成動作を行う。これに対して、画像形成装置においては、記録用紙Ｓの状態や媒体搬送経路の状態、その他様々な要因により、画像形成動作中に当該記録用紙Ｓのジャムが発生してしまった場合には、以下のような動作を行うことにより、記録用紙Ｓの除去操作を補助する。
【００３０】
図４に、正常な連続画像形成動作を行っている場合における走行系センサー１００，１０１，１０２，１０３の出力波形を示す。すなわち、これら走行系センサー１００，１０１，１０２，１０３は、それぞれ、記録用紙Ｓの存在を検出して紙有り状態となっている場合には、所定時間ｔ２の間だけハイレベルの信号を出力し、記録用紙Ｓの存在を検出しておらず紙無し状態となっている場合にはローレベルの信号を出力するといったように、記録用紙Ｓの有無に応じた２値データを、印刷速度に応じた所定の時間間隔ｔ１で出力する。画像形成装置においては、このような走行系センサー１００，１０１，１０２，１０３から出力される２値データを制御部１０４によってモニタする。
【００３１】
また、図５に、３枚の記録用紙が連続して構成される印刷物の２枚目の記録用紙Ｓが、給紙不良により、用紙収納部１１から給紙されなかった場合における走行系センサー１００，１０１，１０２，１０３の出力波形を示す。正常な状態時における走行系センサー１００，１０１，１０２，１０３の出力波形は、図４に示したように、紙無しのインターバル時間がｔ１とされるが、画像形成装置においては、図５に示すように、この時間ｔ１に所定のマージンΔｔ３を加えた時間を経過しても、走行系センサー１００の出力がハイレベルとならない場合には、制御部１０４の制御のもとに、用紙収納部１１からレジスト位置までの間においてジャムが発生したものと判断する。画像形成装置においては、ジャムが発生したものと判断すると、図６に示すように、制御部１０４の制御のもとに、直ちに駆動系を停止させた上で、図３(ｂ)に示したように、モータ１０５を介して昇降リンクレバー１０６を駆動させ、感光体ドラム１４Ｂ，１４Ｙ，１４Ｍ，１４Ｃを搬送ベルト１２から所定距離だけ離す方向へと移動させる。
【００３２】
そして、画像形成装置においては、図７に示すように、当該画像形成装置の筐体を構成するトップカバー３０を開放して内部を視認可能とした状態で、ジャムが発生した場所までユーザの手が容易に届く程度まで、上述したように当該画像形成装置に対して着脱可能に構成される画像形成部１３Ｂ，１３Ｙ，１３Ｍ，１３Ｃのうち、必要最小数の画像形成部を取り外し、同図中矢印ｂで示す方向へと記録用紙Ｓを除去することが可能となる。
【００３３】
ここで、画像形成装置においては、画像形成部１３Ｂ，１３Ｙ，１３Ｍ，１３Ｃを搬送ベルト１２から所定距離だけ離すのにともない、取り外されていない画像形成部１３における感光体ドラム１４と、これに対向して設けられる転写ローラ１７とが、所定距離だけ離れた位置に配設された状態とされる。したがって、画像形成装置においては、感光体ドラム１４と転写ローラ１７とによって記録用紙Ｓを挟み込むことがなく、当該記録用紙Ｓを除去する際の負荷をほとんどなくすことができる。
【００３４】
このように、画像形成装置においては、制御部１０４の制御のもとに、ジャムが発生したものと判断すると直ちに駆動系を停止させ、モータ１０５を介して昇降リンクレバー１０６を駆動させ、感光体ドラム１４Ｂ，１４Ｙ，１４Ｍ，１４Ｃを搬送ベルト１２から所定距離だけ離す方向へと移動させる。このように、ジャムが発生したものと判断した場合に時間をおかずに直ちに感光体ドラム１４と転写ローラ１７とを離すように制御するのは、これら感光体ドラム１４と転写ローラ１７とが搬送ベルト１２を介して接触したまま放置された場合には、ジャムを発生した記録用紙Ｓと感光体ドラム１４とに圧力が加えられたままの状態となり、これにともない、トナーが変質して当該感光体ドラム１４の表面に固着してしまうのを防止するためである。
【００３５】
なお、画像形成装置においては、走行系センサー１００と同様に、記録用紙Ｓが所定位置に到達したか否かを検出する走行系センサー１０１，１０２の出力に基づいて、制御部１０４の制御のもとにジャムの発生を判断する際にも、紙無しのインターバル時間ｔ１に所定のマージンΔｔ３を加えた時間を経過しても、これら走行系センサー１０１，１０２の出力がハイレベルとならないことを判断材料とすればよい。
【００３６】
これに対して、画像形成装置においては、記録用紙Ｓの先端が所定位置（定着器２６）を通過したか否かを検出する走行系センサー１０３の出力に基づいて、制御部１０４の制御のもとにジャムの発生を判断する際には、以下のような動作を行う。
【００３７】
図８に、複数の記録用紙が連続して構成される印刷物の１枚目の記録用紙Ｓが、図９に示すように定着器２６による定着処理終了後に蛇腹上のジャムを引き起こし、正常に排紙されなかった場合における走行系センサー１００，１０１，１０２，１０３の出力波形を示す。この場合、走行系センサー１０３の出力波形は、定着処理終了後に記録用紙Ｓが当該走行系センサー１０３に到達したのに応じて紙有りを示すハイレベルとなるが、ジャムの発生によって記録用紙Ｓが当該走行系センサー１０３を通過することができないことに起因してローレベルに遷移しないことになる。ここで、正常な状態時における走行系センサー１００，１０１，１０２，１０３の出力波形は、図４に示したように、紙有りの検出時間がｔ２とされるが、画像形成装置においては、図８に示すように、この時間ｔ２に所定のマージンΔｔ４を加えた時間を経過しても、走行系センサー１０３の出力がローレベルとならない場合には、制御部１０４の制御のもとに、定着器２６を通過した後にジャムが発生したものと判断する。この場合にも、画像形成装置においては、ジャムが発生したものと判断すると、上述したように、制御部１０４の制御のもとに、直ちに駆動系を停止させ、図３(ｂ)に示したように、モータ１０５を介して昇降リンクレバー１０６を駆動させ、感光体ドラム１４Ｂ，１４Ｙ，１４Ｍ，１４Ｃを搬送ベルト１２から所定距離だけ離す方向へと移動させる。これにより、画像形成装置においては、記録用紙Ｓを容易に除去することが可能となる。
【００３８】
ここで、画像形成装置においては、搬送ベルト１２ではなく、画像形成部１３Ｂ，１３Ｙ，１３Ｍ，１３Ｃを移動させる構造とされるが、この理由は、ジャムが発生して当該画像形成装置内部に未定着トナーを載せたままの記録用紙Ｓが搬送ベルト１２上に吸着されており、その状態で搬送ベルト１２を移動させるのにともなう振動や駆動モータの振動によってトナーが飛散する可能性があるためである。したがって、画像形成装置においては、画像形成部１３Ｂ，１３Ｙ，１３Ｍ，１３Ｃを移動させることにより、当該画像形成装置内部を飛散したトナーによって汚したり、記録用紙Ｓを除去するために当該画像形成装置内部に接触しようとするユーザにトナーが付着したりする可能性を低減することができる。
【００３９】
また、画像形成装置においては、昇降リンクレバー１０６が、複数の画像形成部１３Ｂ，１３Ｙ，１３Ｍ，１３Ｃにおける感光体ドラム１４Ｂ，１４Ｙ，１４Ｍ，１４Ｃを搬送ベルト１２から選択的に離すことが可能に構成される。すなわち、画像形成装置は、印刷モードに応じて、必要な色の画像形成部１３を選択可能に構成される。
【００４０】
図１０(ａ)乃至図１０(ｃ)に、複数の画像形成部１３Ｂ，１３Ｙ，１３Ｍ，１３Ｃを搬送ベルト１２から選択的に離す様子を示す。画像形成装置においては、カラー印刷モードとして動作する場合には、図１０(ａ)に示すように、全ての画像形成部１３Ｂ，１３Ｙ，１３Ｍ，１３Ｃにおける感光体ドラム１４Ｂ，１４Ｙ，１４Ｍ，１４Ｃのそれぞれの回転軸を、凹凸状の断面形状を有する昇降リンクレバー１０６における凹部に位置させることにより、これら感光体ドラム１４Ｂ，１４Ｙ，１４Ｍ，１４Ｃを搬送ベルト１２に接触させた状態とする。また、画像形成装置においては、モノクロ印刷モードとして動作する場合には、図１０(ｂ)に示すように、昇降リンクレバー１０６を第１の位置まで水平方向に移動させ、画像形成部１３Ｙ，１３Ｍ，１３Ｃにおける感光体ドラム１４Ｙ，１４Ｍ，１４Ｃのそれぞれの回転軸を、当該昇降リンクレバー１０６における凸部に位置させるとともに、画像形成部１３Ｂにおける感光体ドラム１４Ｂの回転軸を、当該昇降リンクレバー１０６における凹部に位置させることにより、感光体ドラム１４Ｂのみを搬送ベルト１２に接触させるとともにそれ以外の感光体ドラム１４Ｙ，１４Ｍ，１４Ｃについては搬送ベルト１２から離した状態とする。さらに、画像形成装置においては、ジャムが発生した場合には、図１０(ｃ)に示すように、昇降リンクレバー１０６を第２の位置まで水平方向に移動させ、全ての画像形成部１３Ｂ，１３Ｙ，１３Ｍ，１３Ｃにおける感光体ドラム１４Ｂ，１４Ｙ，１４Ｍ，１４Ｃのそれぞれの回転軸を、当該昇降リンクレバー１０６における凸部に位置させることにより、これら感光体ドラム１４Ｂ，１４Ｙ，１４Ｍ，１４Ｃを搬送ベルト１２から離した状態とする。
【００４１】
このように、画像形成装置においては、用途に応じて、複数の画像形成部１３Ｂ，１３Ｙ，１３Ｍ，１３Ｃにおける感光体ドラム１４Ｂ，１４Ｙ，１４Ｍ，１４Ｃを搬送ベルト１２から選択的に離すことができる。
【００４２】
以上説明したように、本発明の第１の実施の形態として示す画像形成装置においては、画像形成動作中にジャムが発生したものと判断された場合には、時間をおかずに画像形成部１３Ｂ，１３Ｙ，１３Ｍ，１３Ｃにおける感光体ドラム１４Ｂ，１４Ｙ，１４Ｍ，１４Ｃを、転写ローラ１７Ｂ，１７Ｙ，１７Ｍ，１７Ｃ及び搬送ベルト１２から離した状態で停止させることにより、感光体ドラム１４Ｂ，１４Ｙ，１４Ｍ，１４Ｃと転写ローラ１７Ｂ，１７Ｙ，１７Ｍ，１７Ｃとの間で詰まった記録用紙Ｓを容易に除去することができるとともに、長時間の放置によって感光体ドラム１４Ｂ，１４Ｙ，１４Ｍ，１４Ｃの表面にトナーが固着するのを防止することができる。
【００４３】
つぎに、第２の実施の形態として示す画像形成装置について説明する。
【００４４】
この第２の実施の形態として示す画像形成装置は、昇降リンクレバーを駆動する動力がモータ使用によるものではなく、トップカバーの開放時に生じる力を利用したものである。したがって、この第２の実施の形態の説明においては、第１の実施の形態の説明と同様の構成については同一符号を付し、その詳細な説明を省略するものとする。
【００４５】
この第２の実施の形態として示す画像形成装置は、図１１に示すように、トップカバー３０の回転支点近傍に設けられた支点ギヤ１２１と、昇降リンクレバー１０６と一体的に形成されているギヤ部１２２とを備える。
【００４６】
このような画像形成装置においては、制御部１０４の制御のもとに、ジャムが発生したものと判断すると直ちに駆動系を停止させる。この状態で、画像形成装置においては、図１２に示すように、矢印ｃで示す方向へとトップカバー３０を開放するのに応じて、支点ギヤ１２１が昇降リンクレバー１０６と一体的に形成されているギヤ部１２２と噛合するとともに、当該支点ギヤ１２１が矢印ｄで示す方向へと回転する。これにより、画像形成装置においては、昇降リンクレバー１０６が水平方向に移動し、感光体ドラム１４Ｂ，１４Ｙ，１４Ｍ，１４Ｃのそれぞれの回転軸を、当該昇降リンクレバー１０６における凸部に位置させることにより、感光体ドラム１４Ｂ，１４Ｙ，１４Ｍ，１４Ｃを搬送ベルト１２から所定距離だけ離す方向へと移動させる。
【００４７】
そして、画像形成装置においては、先に図７に示したように、ジャムが発生した場所までユーザの手が容易に届く程度まで、当該画像形成装置に対して着脱可能に構成される画像形成部１３Ｂ，１３Ｙ，１３Ｍ，１３Ｃのうち、必要最小数の画像形成部を取り外し、記録用紙Ｓを除去することが可能となる。
【００４８】
以上説明したように、本発明の第２の実施の形態として示す画像形成装置においては、トップカバー３０の開放に応じて、画像形成部１３Ｂ，１３Ｙ，１３Ｍ，１３Ｃにおける感光体ドラム１４Ｂ，１４Ｙ，１４Ｍ，１４Ｃを、転写ローラ１７Ｂ，１７Ｙ，１７Ｍ，１７Ｃ及び搬送ベルト１２から離すことができ、感光体ドラム１４Ｂ，１４Ｙ，１４Ｍ，１４Ｃと転写ローラ１７Ｂ，１７Ｙ，１７Ｍ，１７Ｃとの間で詰まった記録用紙Ｓを容易に除去することができる。特に、この画像形成装置においては、機械的な構成によって昇降リンクレバー１０６を駆動することから、高価な電気部品であるモータを用いる必要がなくなり、安価なギヤ構成のみで実現することができ、低価格化を図ることができる。
【００４９】
つぎに、第３の実施の形態として示す画像形成装置について説明する。
【００５０】
この第３の実施の形態として示す画像形成装置は、第１の実施の形態及び第２の実施の形態として示す画像形成装置を実現する際に発生する問題点に対する対策を講じたものであり、第１の実施の形態又は第２の実施の形態と組み合わせて実施することにより、その効果を高めるものである。したがって、この第３の実施の形態の説明においては、第１の実施の形態及び第２の実施の形態の説明と同様の構成については同一符号を付し、その詳細な説明を省略するものとする。
【００５１】
まず、第１の実施の形態及び第２の実施の形態として示す画像形成装置を実現する際に発生する問題点について説明する。
【００５２】
通常、画像形成装置は、感光体ドラム１４の表面が数百ボルト以上に帯電された状態で使用される。したがって、画像形成装置においては、その状態から動作を一時停止して画像形成部１３を着脱したり、又は表面電荷が蓄積した感光体ドラム１４を搬送ベルト１２から離したりする際に、当該感光体ドラム１４の表面電荷によって近傍に設けられた導電体に対する放電が発生することが考えられる。また、感光体ドラム１４の表面には、放電時に電流が流れることから、当該感光体ドラム１４の特性にダメージを負うことがある。
【００５３】
第３の実施の形態として示す画像形成装置は、このような放電ショックを引き起こさないための対策を講じたものである。
【００５４】
図１３及び図１４に、第３の実施の形態として示す画像形成装置における画像形成部１３の側断面図を示す。画像形成部１３は、感光体ドラム１４の表面電荷を強制的に放電するための放電体２０１を備える。この放電体２０１は、回動支点２０２を中心として回動する２本のシャフト２０３，２０４と一体的に形成されている。また、この放電体２０１は、シャフト２０３，２０４とともにバネ２０５によって同図中矢印ｅの方向へと付勢されている。このような放電体２０１は、図１３に示すように、回動支点２０２を中心として同図中矢印ｆの方向へとシャフト２０３，２０４が回転することにより、感光体ドラム１４の表面に接触する一方で、逆方向へとシャフト２０３，２０４が回転することにより、感光体ドラム１４の表面から離れる方向に移動する。より具体的には、放電体２０１は、画像形成部１３の形状や当該画像形成装置の形状等に応じて様々な形状に形成され、例えば、図１５に示すように、感光体ドラム１４の長手方向における一部表面に対して接離可能な形状や、図１６に示すように、感光体ドラム１４の長手方向における略全面に対して接離可能な形状とされ、感光体ドラム１４の表面に接触することによって表面電荷を放電させる。
【００５５】
このような画像形成装置は、感光体ドラム１４が搬送ベルト１２に接触している状態、又は感光体ドラム１４が搬送ベルト１２から離れている状態の場合には、以下のような動作を行う。
【００５６】
図１７(ａ)に、感光体ドラム１４が搬送ベルト１２に接触している状態における画像形成装置を示し、図１７(ｂ)に、同状態における画像形成部１３を拡大して示す。
【００５７】
画像形成装置においては、取り外された画像形成部１３がセットされると、図１７(ｂ)に示すように、シャフト２０３が当該画像形成装置内部に設けられた突き当て部２０６に当接することから、シャフト２０３に対して同図中矢印ｇで示す方向の力が加えられる。これにより、回動支点２０２を中心として回動するシャフト２０３，２０４と一体的に形成されている放電体２０１は、その一端が画像形成部１３の筐体に固定されるとともに、同図中矢印ｅで示す方向に付勢されたバネ２０５の付勢力に対抗して、感光体ドラム１４から離れた位置に移動する。画像形成装置においては、この位置に放電体２０１がある場合には、画像形成プロセスに対して放電による悪影響を与えることがない。すなわち、画像形成装置においては、この状態であれば感光体ドラム１４の表面電荷が放電体２０１に飛ぶことがない。
【００５８】
一方、画像形成装置においては、ジャム等の発生によって動作を一時停止し、画像形成部１３が搬送ベルト１２から離されるか又は取り外される場合には、以下のように動作する。図１８(ａ)に、感光体ドラム１４が搬送ベルト１２から離れた状態における画像形成装置を示し、図１８(ｂ)に、同状態における画像形成部１３を拡大して示す。
【００５９】
この場合、画像形成装置においては、図１７(ｂ)中矢印ｇで示した力がシャフト２０３に対して作用しなくなることから、図１８(ｂ)に示すように、矢印ｅで示す方向に付勢されているシャフト２０４が放電体２０１とともに感光体ドラム１４の表面に接触する方向へと移動することになる。これにより、画像形成装置においては、放電体２０１を介して感光体ドラム１４の表面電荷を放電させることができる。なお、画像形成装置においては、放電体２０１が感光体ドラム１４に接触する際に、直接フレームグラウンドに放電させた場合には、放電ショックを引き起こして感光体ドラム１４に損傷を与えることになることから、放電体２０１とフレームグラウンドとの間に、所定の抵抗特性を有する素子２０７を介在させている。
【００６０】
以上説明したように、本発明の第３の実施の形態として示す画像形成装置においては、表面電荷が蓄積した状態の感光体ドラム１４を搬送ベルト１２から離す方向へと移動させる際に、当該感光体ドラム１４の表面電荷が直接フレームグラウンドと同等レベルの導電体に飛ばないように、素子２０７を介した放電体２０１を感光体ドラム１４の表面に接触させることにより、放電ショックを引き起こさずに除電することができ、感光体ドラム１４の損傷を防止することができる。なお、この画像形成装置においては、ジャムの発生時のみならず、消耗品の交換を行う場合等の任意のタイミングで当該画像形成装置から画像形成部１３を取り外す場合にも、放電体２０１が感光体ドラム１４の表面に接触して当該感光体ドラム１４を保護する効果も奏する。
【００６１】
なお、本発明は、上述した実施の形態に限定されるものではない。例えば、上述した実施の形態では、タンデム式のカラー画像形成装置に適用した場合について説明したが、本発明は、画像形成を行う機器であればいかなるものであっても適用することができ、例えば、モノクロプリンタを含む各種プリンタ、ファクシミリ装置、複写機、及びこれらの機能を複合的に備える装置に適用して好適である。
【００６２】
このように、本発明は、その趣旨を逸脱しない範囲で適宜変更が可能であることはいうまでもない。
【図面の簡単な説明】
【００６３】
【図１】本発明の第１の実施の形態として示す画像形成装置の概略構成を示す断面図である。
【図２】本発明の第１の実施の形態として示す画像形成装置における制御系の構成を示すブロック図である。
【図３（ａ）】本発明の第１の実施の形態として示す画像形成装置の概略構成を示す要部断面図であり、画像形成部が搬送ベルトに接触している状態を示す図である。
【図３（ｂ）】本発明の第１の実施の形態として示す画像形成装置の概略構成を示す要部断面図であり、画像形成部が搬送ベルトから離れた状態を示す図である。
【図４】正常な連続画像形成動作を行っている場合における走行系センサーの出力波形を示す図である。
【図５】記録用紙が用紙収納部から給紙されなかった場合における走行系センサーの出力波形を示す図である。
【図６】本発明の第１の実施の形態として示す画像形成装置の概略構成を示す断面図であり、ジャムが発生した直後の状態を示す図である。
【図７】本発明の第１の実施の形態として示す画像形成装置の概略構成を示す断面図であり、トップカバーを開放して画像形成部を取り外した状態を示す図である。
【図８】記録用紙が定着処理終了後に蛇腹上のジャムを引き起こし、正常に排紙されなかった場合における走行系センサーの出力波形を示す図である。
【図９】本発明の第１の実施の形態として示す画像形成装置の概略構成を示す断面図であり、記録用紙が定着処理終了後に蛇腹上のジャムを引き起こした直後の状態を示す図である。
【図１０（ａ）】本発明の第１の実施の形態として示す画像形成装置の概略構成を示す要部断面図であり、カラー印刷モードとして動作する場合における状態を示す図である。
【図１０（ｂ）】本発明の第１の実施の形態として示す画像形成装置の概略構成を示す要部断面図であり、モノクロ印刷モードとして動作する場合における状態を示す図である。
【図１０（ｃ）】本発明の第１の実施の形態として示す画像形成装置の概略構成を示す要部断面図であり、ジャムが発生した場合における状態を示す図である。
【図１１】第２の実施の形態として示す画像形成装置の概略構成を示す要部断面図であり、画像形成部が搬送ベルトに接触している状態を示す図である。
【図１２】本発明の第２の実施の形態として示す画像形成装置の概略構成を示す要部断面図であり、画像形成部が搬送ベルトから離れた状態を示す図である。
【図１３】本発明の第３の実施の形態として示す画像形成装置における画像形成部の概略構成を示す側断面図であり、放電体が感光体ドラムの表面に接触している状態を示す図である。
【図１４】本発明の第３の実施の形態として示す画像形成装置における画像形成部の概略構成を示す側断面図であり、放電体が感光体ドラムの表面から離れた状態を示す図である。
【図１５】感光体ドラムの長手方向における一部表面に対して接離可能な形状とされる放電体の概略構成を示す図である。
【図１６】感光体ドラムの長手方向における略全面に対して接離可能な形状とされる放電体の概略構成を示す図である。
【図１７（ａ）】本発明の第３の実施の形態として示す画像形成装置の概略構成を示す要部断面図であり、画像形成部が搬送ベルトに接触している状態を示す図である。
【図１７（ｂ）】画像形成部の概略構成を示す側断面図であり、感光体ドラムが搬送ベルトに接触している状態を示す図である。
【図１８（ａ）】本発明の第３の実施の形態として示す画像形成装置の概略構成を示す要部断面図であり、画像形成部が搬送ベルトから離れた状態を示す図である。
【図１８（ｂ）】画像形成部の概略構成を示す側断面図であり、感光体ドラムが搬送ベルトから離れた状態を示す図である。
【符号の説明】
【００６４】
１１  用紙収納部
１２  搬送ベルト
１３，１３Ｂ，１３Ｙ，１３Ｍ，１３Ｃ  画像形成部
１４，１４Ｂ，１４Ｙ，１４Ｍ，１４Ｃ  感光体ドラム
１５Ｂ，１５Ｙ，１５Ｍ，１５Ｃ  帯電ローラ
１６Ｂ，１６Ｙ，１６Ｍ，１６Ｃ  ＬＥＤヘッド
１７，１７Ｂ，１７Ｙ，１７Ｍ，１７Ｃ  転写ローラ
１８Ｂ，１８Ｙ，１８Ｍ，１８Ｃ  現像ローラ
１９Ｂ，１９Ｙ，１９Ｍ，１９Ｃ  現像ブレード
２０Ｂ，２０Ｙ，２０Ｍ，２０Ｃ  スポンジローラ
２１Ｂ，２１Ｙ，２１Ｍ，２１Ｃ  トナータンク
２２Ｂ，２２Ｙ，２２Ｍ，２２Ｃ  クリーニングブレード
２３Ｂ，２３Ｙ，２３Ｍ，２３Ｃ  スクリューシャフト
２４，２５  ローラ
２６  定着器
３０  トップカバー
１００，１０１，１０２，１０３  走行系センサー
１０４  制御部
１０５  モータ
１０６  昇降リンクレバー
１０７  アイドルギヤ
１０８，１２２  ギヤ部
１２１  支点ギヤ
２０１  放電体
２０２  回動支点
２０３，２０４  シャフト
２０５  バネ
２０６  突き当て部
２０７  素子
Ｓ  記録用紙
【図１】
2006243109.tif 000003
【図２】
2006243109.tif 000004
【図３（ａ）】
2006243109.tif 000005
【図３（ｂ）】
2006243109.tif 000006
【図４】
2006243109.tif 000007
【図５】
2006243109.tif 000008
【図６】
2006243109.tif 000009
【図７】
2006243109.tif 000010
【図８】
2006243109.tif 000011
【図９】
2006243109.tif 000012
【図１０（ａ）】
2006243109.tif 000013
【図１０（ｂ）】
2006243109.tif 000014
【図１０（ｃ）】
2006243109.tif 000015
【図１１】
2006243109.tif 000016
【図１２】
2006243109.tif 000017
【図１３】
2006243109.tif 000018
【図１４】
2006243109.tif 000019
【図１５】
2006243109.tif 000020
【図１６】
2006243109.tif 000021
【図１７（ａ）】
2006243109.tif 000022
【図１７（ｂ）】
2006243109.tif 000023
【図１８（ａ）】
2006243109.tif 000024
【図１８（ｂ）】
2006243109.tif 000025